(57)【要約】【課題】濃縮室でのスケール生成を防止し、かつ、イオン成分が高度に除去された脱イオン水が得られるＥＤＩを目的とする。【解決手段】本発明のＥＤＩは、陽極と陰極との間に、一側のカチオン交換膜１２と他側のアニオン交換膜２２とで区画され、イオン交換体が充填された脱塩室１０、２０と、前記カチオン交換膜１２又は前記アニオン交換膜２２を介して、前記脱塩室の両側に設けられた濃縮室とを有し、２つの脱塩室に挟持されている濃縮室３０には、その厚さ方向に区画して、陽極側の陽極側小濃縮室３４と陰極側の陰極側小濃縮室３２とを形成する中間膜３６が配置され、前記陽極側小濃縮室３４には、カチオン交換体を含むイオン交換体が充填され、前記陰極側小濃縮室３２には、アニオン交換体を含むイオン交換体が充填されていることよりなる。【選択図】図１
2010022984.tif 000002
【特許請求の範囲】
【請求項１】
陽極と陰極との間に、一側のカチオン交換膜と他側のアニオン交換膜とで区画され、イオン交換体が充填された２以上の脱塩室と、前記カチオン交換膜又は前記アニオン交換膜を介して、前記脱塩室の両側に設けられた濃縮室とを有し、
２つの脱塩室に挟持されている濃縮室には、その厚さ方向に区画して、陽極側の陽極側小濃縮室と陰極側の陰極側小濃縮室とを形成する中間膜が配置され、
前記陽極側小濃縮室には、カチオン交換体を含むイオン交換体が充填され、
前記陰極側小濃縮室には、アニオン交換体を含むイオン交換体が充填されている、電気式脱イオン水製造装置。
【請求項２】
前記陽極室側小濃縮室には、イオン交換体がカチオン交換体の単床形態で充填され、前記陰極側小濃縮室には、イオン交換体がアニオン交換体の単床形態で充填されている、請求項１に記載の電気式脱イオン水製造装置。
【請求項３】
前記中間膜にはカチオン交換膜が用いられ、前記陽極側小濃縮室を流通した濃縮水を前記陰極側小濃縮室に流通させる手段が設けられている、請求項１又は２に記載の電気式脱イオン水製造装置。
【請求項４】
前記中間膜にはカチオン交換膜が用いられ、前記陽極側小濃縮室の濃縮水の流通と、前記陰極側小濃縮室の濃縮水の流通とが独立して制御されている、請求項１又は２に記載の電気式脱イオン水製造装置。
【請求項５】
前記脱塩室は、前記カチオン交換膜と前記アニオン交換膜の間に配置された中間イオン交換膜で、前記脱塩室の厚さ方向に多段に区画された小脱塩室が形成されている、請求項１〜４のいずれか１項に記載の電気式脱イオン水製造装置。
【発明の詳細な説明】
【技術分野】
【０００１】
本発明は電気式脱イオン水製造装置に関する。
【背景技術】
【０００２】
脱イオン水を製造する方法として、従来からイオン交換樹脂に被処理水を通水して脱イオンを行う方法が知られている。しかし、この方法ではイオン交換樹脂がイオン成分で飽和されたときに、薬剤によって再生を行う必要がある。近年、このような処理操作上の不利な点を解消するため、薬剤による再生が不要な電気式脱イオン水製造装置（以下、ＥＤＩという）が実用化されている。
【０００３】
ＥＤＩは、電気泳動と電気透析とを組み合わせた脱イオン水製造装置である。ＥＤＩは、カチオン交換膜とアニオン交換膜との間にイオン交換体が充填された脱塩室と、アニオン交換膜またはカチオン交換膜を介して脱塩室の両側に設けられた濃縮室とが、陽極と陰極との間に配置されたものである。通常、ＥＤＩには、複数組の脱塩室と濃縮室とが配置される。ＥＤＩによる脱イオン水の製造方法は、陽極と陰極との間に直流電圧を印加した状態で、脱塩室に被処理水を流通させ、濃縮室には濃縮水を流通させることにより、被処理水中のイオン成分をイオン交換体で吸着し、電気泳動にてイオン交換膜の膜面までイオンを泳動させ、イオン交換膜にて電気透析して濃縮水中に移動させ、脱イオン水を得るものである。
【０００４】
脱塩室に流入させる被処理水中の硬度が高い場合、例えば、水道水を被処理水として用いると、濃縮室のアニオン交換膜面に硬度スケール（以下、単にスケールということがある）が発生しやすい。即ち、被処理水中に含まれている炭酸（遊離炭酸、重炭酸イオン、炭酸イオンの総称）と硬度成分（Ｃａ、Ｍｇ等）とが、ＣａＣＯ３が生成されるｐＨ１１を超えるアルカリ条件下にあるアニオン交換膜表面で出会うと、ＥＤＩのアニオン交換膜面で結合し、炭酸カルシウムや炭酸マグネシウム等のスケールを生じることとなる。スケールの生成は、濃縮室における濃縮水の円滑な流通を妨げ、通水差圧の上昇を招く原因となる。さらに成長したスケールは、イオン交換膜内にまで浸食し、最終的にはイオン交換膜の破損に至ることもある。また、スケールは電流抵抗が高いため、スケールが生成されていない場合と同等の電流を流すには、電圧を上昇させて運転する必要がある。加えて、スケールの生成箇所如何では、濃縮室内での電流密度分布が生じ、ひいては脱塩室での電流密度が不均一となり、被処理水中のイオン成分への電流効率を低下させ、脱イオン水の水質低下（イオン成分濃度の上昇）の原因となる。このようなスケールの問題は、水道水をＲＯ膜（逆浸透膜）処理した被処理水においても発生することがある。
【０００５】
ＲＯ膜処理では、被処理水中のイオン成分濃度の低減を行えるものの、ガス成分は殆ど除去できず、ＲＯ膜処理した水にはＲＯ膜を透過した炭酸が残存することとなる。このような被処理水中の炭酸を高度に除去することが、スケール発生の防止や、イオン成分が高度に除去された高い水質の脱イオン水を得るための課題となる。例えば、ＲＯ膜処理をした被処理水は、被処理水中に含まれるイオン成分の多くが炭酸であることが多い。被処理水中の炭酸が脱塩室からアニオン交換膜を透過して濃縮室へ移動すると、濃縮室内のアニオン交換体はＨＣＯ３形となる。そして、ＨＣＯ３形のアニオン交換体に電流が流れると、イオン交換体に吸着していたＨＣＯ３−又はＣＯ３２−が、電場によってカチオン交換膜の近傍まで引き寄せられる。しかし、ＨＣＯ３−又はＣＯ３２−は、カチオン交換膜を透過することは出来ず、カチオン交換膜付近で濃縮される。一方で、Ｈ＋が脱塩室からカチオン交換膜を透過してくるため、カチオン交換膜付近のｐＨは低くなる。このため、濃縮室のカチオン交換膜面で、水と炭酸ガス（ＣＯ２）が発生し、カチオン交換膜近傍では炭酸ガスが高濃度に溶解した水層（以下、高濃度炭酸ガス含有液層ということがある）が形成される。そして、炭酸ガスは、拡散によってカチオン交換膜を透過し、脱塩室へ移動（逆拡散）してしまう。即ち、一旦、被処理水から除去された炭酸が、炭酸ガスとして被処理水に再度溶解される、いわゆる炭酸の逆拡散が発生する。この結果、脱塩室から排出される脱イオン水が炭酸で汚染される。
【０００６】
このような問題に対し、濃縮室に充填されたアニオン交換樹脂とカチオン交換膜との間に、強塩基性アニオン基を有しない水透過性体を設けることにより、炭酸の逆拡散の発生を抑制するＥＤＩが提案されている（例えば、特許文献１）。該ＥＤＩでは、ＨＣＯ３−等が水透過性体でブロックされ、カチオン交換膜の近傍にまで移動することを防止して、炭酸の逆拡散防止とスケール生成の抑制を図っている。
【０００７】
また、濃縮室にアニオン交換樹脂及びカチオン交換樹脂を充填することにより、炭酸の逆拡散を抑制するＥＤＩが提案されている（例えば、特許文献２）。該ＥＤＩによれば、カチオン成分とアニオン成分の両成分の濃縮室内での移動を円滑にすることで、炭酸の逆拡散を比較的小さくし、かつ、スケール生成の抑制を図っている。
【特許文献１】特開２００４−３５８４４０号公報
【特許文献２】特開２００４−３４００４号公報
【発明の開示】
【発明が解決しようとする課題】
【０００８】
しかしながら、従来の技術では、濃縮室でのスケール生成を有効に抑制できるものの、炭酸の逆拡散や、異種のイオン交換膜からのイオン成分の漏洩に関する問題を解消できていない。ＥＤＩには、さらなる水質の向上が要求されており、このような要求を達成するためには、濃縮室から脱塩室への炭酸の逆拡散防止、及び、イオン成分の漏洩防止の精度向上が必要である。
そこで本発明は、濃縮室でのスケール生成を防止し、かつ、イオン成分が高度に除去された脱イオン水が得られるＥＤＩを目的とする。
【課題を解決するための手段】
【０００９】
本発明のＥＤＩは、陽極と陰極との間に、一側のカチオン交換膜と他側のアニオン交換膜とで区画され、イオン交換体が充填された２以上の脱塩室と、前記カチオン交換膜又は前記アニオン交換膜を介して、前記脱塩室の両側に設けられた濃縮室とを有し、２つの脱塩室に挟持されている濃縮室には、その厚さ方向に区画して、陽極側の陽極側小濃縮室と陰極側の陰極側小濃縮室とを形成する中間膜が配置され、前記陽極側小濃縮室には、カチオン交換体を含むイオン交換体が充填され、前記陰極側小濃縮室には、アニオン交換体を含むイオン交換体が充填されていることを特徴とする。
前記陽極室側小濃縮室には、イオン交換体がカチオン交換体の単床形態で充填され、前記陰極側小濃縮室には、イオン交換体がアニオン交換体の単床形態で充填されていることが好ましい。前記中間膜にはカチオン交換膜が用いられ、前記陽極側小濃縮室を流通した濃縮水を前記陰極側小濃縮室に流通させる手段が設けられていてもよく、前記中間膜にはカチオン交換膜が用いられ、前記陽極側小濃縮室の濃縮水の流通と、前記陰極側小濃縮室の濃縮水の流通とが独立して制御されていてもよい。前記脱塩室は、前記カチオン交換膜と前記アニオン交換膜の間に配置された中間イオン交換膜で、前記脱塩室の厚さ方向に多段に区画された小脱塩室が形成されていてもよい。
【発明の効果】
【００１０】
本発明のＥＤＩによれば、濃縮室でのスケール生成を防止し、かつ、イオン成分が高度に除去された脱イオン水を得ることができる。
【発明を実施するための最良の形態】
【００１１】
本発明のＥＤＩにおける、スケール生成防止の機構、イオン成分の中でも特に炭酸の除去の機構について、図１を用いて説明する。図１は、濃縮室におけるイオン成分の挙動を説明する模式図である。図１に示すように、陰極側の脱塩室１０を形成しているカチオン交換膜１２と、陽極側の脱塩室２０を形成しているアニオン交換膜２２とで仕切られた空間に濃縮室３０が形成されている。濃縮室３０は、カチオン交換膜１２とアニオン交換膜２２との間に中間膜３６としてカチオン交換膜が配置され、濃縮室３０の厚さ方向に略二分されている。そして、カチオン交換膜１２側（陰極側）に形成された空間にイオン交換樹脂が充填され、陰極側小濃縮室３２が形成されている。同様に、アニオン交換膜２２側（陽極側）に形成された空間にイオン交換樹脂が充填され、陽極側小濃縮室３４が形成されている。
【００１２】
以下、被処理水をＲＯ膜処理水とし、陰極側小濃縮室３２には濃縮水を矢印Ａ方向で流通させ、陽極側小濃縮室３４には濃縮水を矢印Ｂ方向で流通させた場合を例にして、説明を行う。
陽極と陰極とに直流電圧を印加させた状態で被処理水を脱塩室２０に流通させると、被処理水中の主にカチオン成分（Ｃａ２＋、Ｍｇ２＋、Ｎａ＋等）、および、異種イオン界面での水の電解により生成したＨ＋が、陰極に引き寄せられ、カチオン交換膜２２を透過して陽極側小濃縮室３４に移動する。そして、カチオン成分やＨ＋は、陽極側小濃縮室３４のカチオン交換樹脂への吸着と脱着とを繰り返しながら、さらに陰極に引き寄せられ、中間膜３６を透過し陰極側小濃縮室３２に移動する。陰極側小濃縮室３２に移動したカチオン成分は、濃縮水に取り込まれ、陰極に引き寄せられながら矢印ａの様に移動する。
【００１３】
他方、脱塩室１０では、被処理水を流通させると、被処理水中の主にアニオン成分（ＨＣＯ３−、ＣＯ３２−、Ｃｌ−、ＳｉＯ２（シリカは、特別な形態をとることが多いため、一般のイオンとは異なった表示とする）等）、および、異種イオン界面での水の電解により生成したＯＨ−が、対極である陽極に引き寄せられ、アニオン交換膜１２を透過して陰極側小濃縮室３２へ移動する。陰極側小濃縮室３２へ移動してきたアニオン成分の大部分は、矢印ｃのように、カチオン交換膜である中間膜３６に反発されて、濃縮水に取り込まれて排出される。ここで、ＲＯ膜処理水に含まれるアニオン成分の大部分が炭酸であるため、アニオン交換樹脂はＨＣＯ３形になる。そして、アニオン交換樹脂に吸着しているＨＣＯ３−は、アニオン交換樹脂への吸着と脱着とを繰り返しながら陽極に引き寄せられて、中間膜３６表面まで移動する。この際、陽極側小濃縮室３４から陰極側小濃縮室３２に移動してきたＨ＋と、ＨＣＯ３−とが中間膜３６の膜面で接触し、Ｈ２Ｏと炭酸ガスを生成し、高濃度炭酸ガス含有液層を形成する。形成された高濃度炭酸ガス含有液層から、ガス化したＣＯ２（炭酸ガス）が、中間膜３６を透過して陽極側小濃縮室３４へ逆拡散する。また、中間膜３６に至ったＣｌ−等のアニオン成分は、その一部が中間膜３６を透過する。
【００１４】
陽極側小濃縮室３４に移動してきた炭酸ガス、ならびに、Ｃｌ−等のアニオン成分は、濃縮水に取り込まれて排出される。このため、炭酸ガスやアニオン成分が、カチオン交換膜２２を透過し脱塩室２０に逆拡散して、脱イオン水に混入することを防ぐことができる。
【００１５】
このように、濃縮室３０をその厚さ方向に仕切る中間膜を設けることで、アニオン成分、特に炭酸が脱塩室に逆拡散することを防止し、脱イオン水の水質向上を図ることができる。
【００１６】
本発明の実施形態の一例について、図２を用いて説明するが、本発明は、本実施形態に限定されるものではない。図２は、本発明の実施形態にかかるＥＤＩ１００の模式図である。図２に示すとおり、ＥＤＩ１００は、陰極１１２と陽極１６２との間に、脱塩室１２０、１５０と、濃縮室１３０とが配置されている。脱塩室１２０は、濃縮室を兼ねる陰極室１１０と濃縮室１３０とに挟持され配置され、脱塩室１５０は、濃縮室を兼ねる陽極室１６０と濃縮室１３０とに挟持され配置されている。
【００１７】
陰極１１２側の脱塩室１２０は、陰極１１２側から順に、カチオン交換膜１２２、枠体１２１、アニオン交換膜１２４とが順に配置され、枠体１２１の開口部にイオン交換体が充填され、形成されている。陽極１６２側の脱塩室１５０は、陰極１１２側から順に、カチオン交換膜１２２、枠体１２１、アニオン交換膜１２４とが順に配置され、枠体１２１の開口部にイオン交換体が充填され、形成されている。脱塩室１２０には、被処理水流入ライン１２６と、被処理水流出ライン１２８とが接続されている。被処理水流出ライン１２８は、図示されない配管により被処理水流入ライン１５６と接続されている。脱塩室１５０には、被処理水流入ライン１５６と、脱イオン水流出ライン１５８とが接続されている。
【００１８】
濃縮室１３０は、陰極側小濃縮室１３２と陽極側小濃縮室１３４（総じて小濃縮室ということがある）とで構成されている。陰極側小濃縮室１３２は、脱塩室１２０を形成するアニオン交換膜１２４と、枠体１３１と、中間膜１３６とが、陰極１１２側から順に配置され、枠体１３１の開口部にイオン交換体が充填され、形成されている。陽極側小濃縮室１３４は、中間膜１３６と、枠体１３５と、脱塩室１５０を形成するカチオン交換膜１２２とが、陰極１１２側から順に配置され、枠体１３５の開口部にイオン交換体が充填され、形成されている。こうして、濃縮室１３０は、中間膜１３６により、その厚さ方向に区画され、中間膜１３６を介して隣接する陰極側小濃縮室１３２と陽極側小濃縮室１３４とが形成されている。
【００１９】
陽極側小濃縮室１３４には、濃縮水流入ライン１４２と濃縮水流出ライン１４４が接続されている。濃縮水流出ライン１４４は、図示されない配管により濃縮水流入ライン１４６と接続されている。陰極側小濃縮室１３２には、濃縮水流入ライン１４６と濃縮水流出ライン１４８とが接続されている。「陽極側小濃縮室を流通した濃縮水を陰極側小濃縮室に流通させる手段」は、濃縮水流出ライン１４４と、前記図示されない配管と、濃縮水流入ライン１４６とで構成されている。
【００２０】
陰極室１１０は、陰極１１２と、枠体１１１と、カチオン交換膜１２２とが、陰極１１２側から順に配置され、枠体１１１の開口部にイオン交換体が充填され、形成されている。こうして、陰極室１１０は、カチオン交換膜１２２を介して、脱塩室１２０と隣接している。陽極室１６０は、陽極１６２と、枠体１６１と、アニオン交換膜１２４とが、陽極１６２側から順に配置され、枠体１６１の開口部にイオン交換体が充填され、形成されている。こうして、陽極室１６０は、アニオン交換膜１２４を介して、脱塩室１５０と隣接している。
【００２１】
陰極室１１０には、電極水流入ライン１１６と電極水流出ライン１１８とが接続されている。陽極室１６０には、電極水流入ライン１６６と電極水流出ライン１６８とが接続されている。陰極１１２と、陽極１６２とは、図示されない電源と接続されている。
【００２２】
イオン交換膜としては大別すると、原料モノマー液を補強体に含浸させた後に重合させ、全体を均質に形成した均質膜と、イオン交換樹脂を溶解成型可能なポリオレフィン系樹脂と共に粉砕成型した不均質膜の２種類がある。本実施形態におけるカチオン交換膜１２２、アニオン交換膜１２４はいずれも特に限定されず、ＥＤＩの製造の適性や、被処理水の水質、脱イオン水に求める水質、処理量等に応じて選択することができる。
【００２３】
主にＨＣＯ３−、Ｃｌ−等のアニオン成分の除去を目的とする場合には、中間膜１３６としてカチオン交換膜を選択する。中間膜１３６にカチオン交換膜を選択することで、脱塩室１２０から陰極側小濃縮室１３２に移動してきたアニオン成分は、中間膜１３６で反発され陽極側小濃縮室１３４に移動するアニオン成分は低濃度となる。中間膜１３６を透過したアニオン成分は、再度、脱塩室１５０のカチオン交換膜１２２で反発される。このため、カチオン交換膜１２２を透過して脱塩室１５０に移動するアニオン成分を極めて低濃度とすることができる。
【００２４】
また、主にＮａ＋等のカチオン成分の除去を目的とする場合には、中間膜１３６としてアニオン交換膜を選択する。中間膜１３６にアニオン交換膜を選択することで、脱塩室１５０から陽極側小濃縮室１３４に移動してきたカチオン成分は、中間膜１３６で反発され陰極側小濃縮室１３２に移動するカチオン成分は低濃度となる。中間膜１３６を透過したカチオン成分は、再度、脱塩室１２０のアニオン交換膜で反発される。このため、アニオン交換膜１２４を透過して脱塩室１２０に移動するカチオン成分を極めて低濃度とすることができる。
【００２５】
なお、一般的に、ＥＤＩの被処理水としてはＲＯ膜処理水が用いられることが多いが、ＲＯ膜処理水であっても炭酸が溶解していることが多い。そこで、被処理水中の炭酸を高度に除去するため、中間膜１３６はカチオン交換膜とすることが好ましい。なお、中間膜１３６は、均質膜または不均質膜のいずれを用いてもよい。
【００２６】
陰極側小濃縮室１３２に充填するイオン交換体は、アニオン交換体を含むものである。陰極側小濃縮室１３２に充填するイオン交換体の種類は、例えば、イオン交換樹脂、イオン交換繊維、モノリス状多孔質イオン交換体等を挙げることができる。この内、最も汎用的である、イオン交換樹脂が好ましく、中でも、アニオン交換樹脂が好ましい。前記アニオン交換樹脂としては強塩基性アニオン交換樹脂、弱塩基性アニオン交換樹脂が挙げられ、例えば、市販品としてローム・アンド・ハース社製のアンバーライトＩＲＡ４０２ＢＬ（商品名）等を挙げることができる。これらは単独で用いても良く、２種以上を組み合わせて用いても良い。
【００２７】
陰極側小濃縮室１３２におけるイオン交換体の充填形態は、被処理水の水質や、脱イオン水に求める水質を考慮して選択することができる。陰極側小濃縮室１３２のイオン交換体の充填形態は、アニオン交換体の単床形態とすることが特に好ましい。脱塩室１２０から陰極側小濃縮室１３２へのアニオン成分の移動を円滑にするためである。
【００２８】
陽極側小濃縮室１３４に充填するイオン交換体は、カチオン交換体を含むものである。陽極側小濃縮室１３４に充填するイオン交換体の種類は、例えば、イオン交換樹脂、イオン交換繊維、モノリス状多孔質イオン交換体等を挙げることができる。この内、最も汎用的である、イオン交換樹脂が好ましく、中でも、カチオン交換樹脂が好ましい。前記カチオン交換樹脂としては、強酸性カチオン交換樹脂、弱酸性カチオン交換樹脂が挙げられ、例えば、市販品としてローム・アンド・ハース社製のアンバーライトＩＲ１２０Ｂ（商品名）等を挙げることができる。これらは単独で用いても良く、２種以上を組み合わせて用いても良い。
【００２９】
陽極側小濃縮室１３４におけるイオン交換体の充填形態は、被処理水の水質や、脱イオン水に求める水質を考慮して選択することができる。陽極側小濃縮室１３４のイオン交換体の充填形態は、カチオン交換体の単床形態とすることが特に好ましい。脱塩室１５０から陽極側小濃縮室１３４へのカチオン成分の移動を円滑にするためである。
【００３０】
陰極側小濃縮室１３２の厚さは、濃縮水の通水量や、電極間に印加する電圧等を考慮して決定することができ、例えば、１．５〜１０ｍｍの範囲で選択することが好ましい。陽極側小濃縮室１３４の厚さも同様である。
陰極側小濃縮室１３２の厚さと、陽極側小濃縮室１３４の厚さとは、同じであってもよいし、異なっていてもよい。
【００３１】
枠体１３１は、絶縁性を有し、濃縮水が漏洩しない素材であれば特に限定されず、例えば、ポリエチレン、ポリプロピレン、ポリ塩化ビニル、ＡＢＳ、ポリカーボネート、ノリル等の樹脂製の枠体を挙げることができる。
枠体１３１の厚さは特に限定されることなく、所望する陰極側小濃縮室１３２の厚さに応じて設定することができる。
【００３２】
枠体１３１の開口部の面積が大きい場合には、枠体１３１のくりぬかれた空間（開口部）に支持体を設けても良い。支持体を設けることで、アニオン交換膜１２４、カチオン交換膜１２２が湾曲して、イオン交換体の充填量が不均一になることを防止できるためである。前記支持体は、絶縁性を有し、被処理水の流通を妨げない素材であれば特に限定されず、例えば、スリットが設けられた、ポリエチレン、ポリプロピレン、ポリ塩化ビニル、ＡＢＳ、ポリカーボネート、ノリル等の樹脂製の支持体を挙げることができる。
枠体１３５は、枠体１３１と同様である。
【００３３】
脱塩室１２０に充填するイオン交換体の種類は、陰極側小濃縮室１３２に充填するイオン交換体の種類と同様である。脱塩室１２０に充填するイオン交換体の充填形態は、被処理水の水質、目的とする脱イオン水の水質等を勘案して決定することができ、アニオン交換体もしくはカチオン交換体の単床形態、または、アニオン交換体とカチオン交換体との混床形態もしくは複床形態が挙げられる。脱塩室１２０の厚さは、被処理水の水質、目的とする脱イオン水の水質、処理量等を勘案して決定することができ、例えば、４〜１００ｍｍの間で決定することが好ましい。
【００３４】
脱塩室１５０におけるイオン交換体の種類、イオン交換体の充填形態、脱塩室１５０の厚さは、いずれも脱塩室１２０と同様である。
枠体１２１は、枠体１３１と同様のものを用いることができる。
【００３５】
陰極１１２は、陰極として機能を発揮するものであれば特に限定されず、例えば、板状のステンレスや網状のステンレスを挙げることができる。
陽極１６２は、陽極として機能を発揮するものであれば特に限定されないが、被処理水中にＣｌ−が存在する場合には、陽極には塩素発生が起きるため、耐塩素性能を有するものが好ましい。例えば、白金、パラジウム、イリジウム等の貴金属、あるいは前記貴金属をチタン等に被覆した網状あるいは板状の電極を挙げることができる。
【００３６】
陰極室１１０に充填されるイオン交換体の種類は、脱塩室１２０と同様である。陰極室１１０におけるイオン交換体の充填形態は特に限定されず、例えば、アニオン交換体の単床形態とすることができる。
陽極室１６０に充填されるイオン交換体の種類は、脱塩室１２０と同様である。陽極室１６０におけるイオン交換体の充填形態は特に限定されず、例えば、カチオン換体の単床形態とすることができる。
【００３７】
陰極室１１０の厚さは、電極間に印加する電圧等を考慮して決定することができ、例えば、０．３〜１０ｍｍの範囲で選択することが好ましい。陽極室１６０の厚さは、陰極室１１０の厚さと同様である。
枠体１１１は、枠体１３１と同様のものを用いることができる。枠体１６１は、枠体１３１と同様のものを用いることができる。
【００３８】
ＥＤＩ１００を用いた脱イオン水の製造方法について、脱塩室１２０、陰極側小濃縮室１３２には、アニオン交換体を単床形態で充填し、脱塩室１５０、陽極側小濃縮室１３４には、カチオン交換体を単床形態で充填した場合を例にして説明する。
【００３９】
まず、電極水流入ライン１１６から陰極室１１０に電極水を流入させ、電極水流入ライン１６６から陽極室１２０に電極水を流入させる。濃縮水流入ライン１４２から陽極側小濃縮室１３４に濃縮水を流入させる。そして、陰極１１２と陽極１６２との間に、直流電圧を印加する。
【００４０】
次いで、被処理水流入ライン１２６から、被処理水を脱塩室１２０に流入させる。流入した被処理水は脱塩室１２０のアニオン交換体内を拡散しながら流通し、被処理水流出ライン１２８から流出する。この間、被処理水中の主にＣｌ−、ＨＣＯ３−等のアニオン成分が、アニオン交換体に吸着され、被処理水から除去される。アニオン交換体に吸着されたアニオン成分は、対極である陽極１６２に引き寄せられ、アニオン交換膜１２４を透過して、陰極側小濃縮室１３２に移動する。また、Ｃａ２＋、Ｍｇ２＋等のカチオン成分の一部が、陰極１１２に引き寄せられ、カチオン交換膜１２２を透過し、陰極室１１０に移動する。
【００４１】
脱塩室１２０を流通した被処理水は、被処理水流出ライン１２８から、図示されない配管を経由し、被処理水流入ライン１５６を流通し、脱塩室１５０に流入する。流入した被処理水は、脱塩室１５０のカチオン交換体内を拡散しながら流通する。この間、被処理水中の主にＣａ２＋、Ｍｇ２＋等のカチオン成分が、カチオン交換体に吸着され、被処理水から除去される。カチオン交換体に吸着されたカチオン成分は、対極である陰極１１２に引き寄せられ、カチオン交換膜１２２を透過して、陽極側小濃縮室１３４に移動する。また、Ｃｌ−、ＨＣＯ３−等のアニオン成分の一部が、陽極１６２に引き寄せられ、アニオン交換膜１２４を透過し、陽極室１６０に移動する。こうして、被処理水は、アニオン成分とカチオン成分とが除去され、脱イオン水となって脱イオン水流出ライン１５８から流出する。
【００４２】
濃縮水流入ライン１４２から陽極側小濃縮室１３４に流入した濃縮水は、陽極側小濃縮室１３４を流通し、濃縮水流出ライン１４４から流出する。陽極側小濃縮室１３４を流通した濃縮水は、濃縮水流出ライン１４４から図示されない配管を経由し、濃縮水流入ライン１４６を流通し、陰極側小濃縮室１３２に流入する。流入した濃縮水は、陰極側小濃縮室１３２を流通し、濃縮水流出ライン１４８から流出する。この間、濃縮水は主に、脱塩室１２０から移動してきたアニオン成分と中間膜１３６を透過してきたカチオン成分とを取り込んで、陰極側小濃縮室１３２からアニオン成分及びカチオン成分を排出する。
【００４３】
ここで、陰極側小濃縮室１３２に移動したアニオン成分は、陰極側小濃縮室１３２のアニオン交換体内を陽極１６２に向かって移動し、中間膜１３６に至る。中間膜１３６に至ったアニオン成分の内、Ｃｌ−やシリカ等の大部分は、カチオン交換膜である中間膜１３６に反発され透過できず、濃縮水に取り込まれて、濃縮水流出ライン１４８から流出される。中間膜１３６に至ったアニオン成分の内、ＨＣＯ３−等の炭酸の一部は、中間膜１３６面で濃縮され、炭酸ガスとなって中間膜１３６を透過する。中間膜１３６を透過した炭酸ガスは、陽極側小濃縮室１３４のカチオン交換体内を流通できずに濃縮水に取り込まれ、濃縮水流出ライン１４４、濃縮水流入ライン１４６を流通し、陰極側小濃縮室１３２に流入する。そして、陰極側小濃縮室１３２を流通して、濃縮水流出ライン１４８から流出する。
【００４４】
電極水流入ライン１１６から陰極室１１０に流入した電極水は、陰極１１２から発生したＨ２等、及び、脱塩室１２０から移動してきたカチオン成分を取り込み、電極水流出ライン１１８から流出する。電極水流入ライン１６６から陽極室１６０に流入した電極水は、陽極１６２から発生したＣｌ２、Ｏ２等、及び、脱塩室１５０から移動してきたアニオン成分を取り込み、電極水流出ライン１６８から流出する。
【００４５】
被処理水は特に限定されることはないが、工業用水や井水の濁質成分を除濁膜にて除去した水を、逆浸透（ＲＯ）膜にて処理した水等が挙げられる。
【００４６】
脱塩室に供給される被処理水の通水量は特に限定されることはなく、ＥＤＩ１００の能力や被処理水の水質を勘案して決定することができる。通水量は空間速度（ＳＶ）で表され、ＳＶの単位は、イオン交換体の単位体積（Ｌ）に対して１時間に流通させる流量（Ｌ）であるＬ／Ｌ・ｈ−１で表される（以降において同じ）。本実施形態ではＳＶ＝３０〜１２００Ｌ／Ｌ・ｈ−１が好ましい。ＳＶが高すぎると、イオン除去性能が低下したり、ＳＶの増加と共に発生する通水速度（ＬＶ）の増加によって差圧が高くなり、脱塩室１２０、１５０の破損を招いたり、運転上の困難を起こしたりするので好ましくない。ここで、ＬＶとは、単位面積当たりの流量で、ｍ／ｈで表される線速度である。一方、ＳＶが低すぎると、脱イオン水の生産量が少なくなり過ぎ、好ましくない。
【００４７】
濃縮水は清浄な水であれば特に限定されず、被処理水と同じ水源の水を濃縮水として使用しても良いし、脱イオン水や純水等を使用しても良い。
【００４８】
濃縮水の流量は特に限定されることはなく、ＥＤＩ１００の能力や、被処理水の水質や処理量を勘案して決定することができる。濃縮水は、濃縮室１３０に移動してきたイオン成分を濃縮水内に拡散して、ＥＤＩ１００外へ流出させるという目的を有する。このことから、濃縮水の流量は、被処理水の通水量や、被処理水のイオン成分濃度、脱イオン水の回収率との関係で決定することが好ましく、例えば、ＡＳＴＭ（Ａｍｅｒｉｃａｎ  Ｓｏｃｉｅｔｙ  ｆｏｒ  Ｔｅｓｔｉｎｇ  ａｎｄ  Ｍａｔｅｒｉａｌｓ）Ｄ６５２９に規定される下記（１）式により、濃縮倍率が３〜２０となるように、濃縮水の流量を決定することが好ましい。なお、下記（１）式による濃縮倍率は、被処理水と濃縮水に同一の原水を用いて、かつ脱塩室中のイオンが全て濃縮室に移動すると仮定し定義付けられる。
【００４９】
【数１】
2010022984.tif 000003
【００５０】
濃縮水の流量が少なすぎると、濃縮室１３０に移動したイオンの濃度拡散にむらが生じ、イオン交換膜面の濃度分極層が厚くなり、スケール生成のおそれがある。一方、濃縮水の流量が多すぎると、脱イオン水の回収率が低下するため好ましくないためである。
【００５１】
印加する電流は、被処理水の水質、得られる脱イオン水の水質、ＥＤＩ１００の規模等を勘案して決定することが好ましい。被処理水の水質等に応じて、最適な電流値を選択することで、水質の向上が図れるためである。
【００５２】
電極水は清浄な水であれば特に限定されず、被処理水と同じ水源の水を濃縮水として使用しても良いし、脱イオン水や純水等を使用しても良い。ＥＤＩ１００のように、陰極室１１０が濃縮室を兼ね、陰極室１１０にカチオン成分が移動する場合には、スケール発生を防ぐために、陰極室１１０に流通させる電極水は、アニオン成分を含む溶液を用いることが好ましい。
電極水の流量は特に限定されず、印加電圧等に応じて決定することが好ましい。電極水の流量が少なすぎると、発生したＨ２、Ｏ２、Ｃｌ２ガスを充分に排出することが困難となり、電極水の流量が多すぎると、回収率が低下するため、好ましくない。
【００５３】
本発明によれば、濃縮室１３０を中間膜１３６でその厚さ方向に区画し、小濃縮室を設けることで、被処理水から取り除いたイオン成分が、対極に引き寄せられて、濃縮室１３０から脱塩室１２０または１５０に移動することを防止することができる。特に、被処理水中の炭酸に関しては、中間膜１３６をカチオン交換膜とすることで、濃縮室１３０のカチオン交換膜１２２の近傍に、高濃度炭酸ガス含有液層が形成することを防止できる。これにより、濃縮室１３０から脱塩室１５０への炭酸の逆拡散を防止でき、イオン成分濃度の低い、高い水質の脱イオン水を得ることができる。
【００５４】
本発明によれば、濃縮水を陽極側小濃縮室１３４から陰極側小濃縮室１３２へ流通させることで、陰極側小濃縮室１３２に移動したカチオン成分が、陽極側小濃縮室１３４に戻されることなく、濃縮室１３０から効率的に除去することができる。
【００５５】
本発明は、上述の実施形態に限られるものではない。
上述の実施形態では、濃縮水は陽極側小濃縮室を流通させた後に、陰極側小濃縮室に流通させているが、陰極側小濃縮室を流通させた後に、陰極側小濃縮室に流通させてもよいし、各小濃縮室の濃縮水の流通を独立して制御してもよい。中でも、中間膜としてカチオン交換膜を設置した場合には、陽極側小濃縮室を流通させた後に陰極側小濃縮室に流通させるか、各小濃縮室の濃縮水の流通を独立して制御することが好ましい。このような、濃縮水の流通形式とすることで、濃縮室でのカチオン成分の滞留を防ぐことができるためである。
【００５６】
また、中間膜としてアニオン交換膜を設置した場合には、陰極側小濃縮室を流通させた後に陽極側小濃縮室に流通させるか、各小濃縮室の濃縮水の流通を独立して制御することが好ましい。このような濃縮水の流通形式とすることで、濃縮室でのアニオン成分の滞留を防ぐことができるためである。
【００５７】
「独立して制御」とは、陽極側小濃縮室に濃縮水を流通させ、流通した濃縮水を排出し、陰極側小濃縮室に濃縮水を流通させ、流通した濃縮水を排出することで、任意の小濃縮室を流通した濃縮水が、他の小濃縮室を流通しないようにすることを意味する。
【００５８】
上述の実施形態では、全ての小濃縮室に濃縮水を下降流で流通させているが、濃縮水の流通方向は、全ての小濃縮室で上昇流としてもよいし、小濃縮室毎に異なっていてもよい。各小濃縮室での濃縮水の流通方向が独立して制御されている場合も同様に、全ての小濃縮室で上昇流としてもよいし、小濃縮室毎に異なっていてもよい。
【００５９】
上述の実施形態では、脱塩室に下降流で被処理水を流通させているが、被処理水の流通は上昇流であってもよいし、脱塩室毎に異なっていてもよい。また、被処理水の脱塩室への流通の形式は、上述の実施形態に限られず、陽極側の脱塩室に流通させた被処理水を陰極側の脱塩室に流通させてもよいし、各脱塩室に独立して流通させてもよい。被処理水の流通の形式は、被処理水の水質や、脱イオン水の水質を勘案して決定することができる。
【００６０】
上述の実施形態では、陰極室と陽極室とが濃縮室を兼ねているが、陰極室と隣接する濃縮室、陽極室と隣接する濃縮室を別途設けてもよい。
【００６１】
上述の実施形態では、陰極室及び陽極室にイオン交換体を充填しているが、本発明はこれに限られず、イオン交換体を充填せずに、電極水の流路を確保するためのメッシュや格子等を配置しても良い。
【００６２】
上述の実施形態では、脱塩室はカチオン交換膜とアニオン交換膜とで区画された空間にイオン交換が充填されて形成された、いわゆる一室型の脱塩室であるが、本発明はこれに限られない。脱塩室は、カチオン交換膜とアニオン交換膜の間に中間イオン交換膜を配置し、脱塩室をその厚さ方向に多段に区画して小脱塩室が形成されたものであってもよい。例えば、カチオン交換膜とアニオン交換膜との間に、１枚の中間イオン交換膜を配置し、前記カチオン交換膜と前記中間イオン交換膜とで仕切られた空間に、イオン交換体が充填された第一小脱塩室と、前記アニオン交換膜と前記中間イオン交換膜とで仕切られた空間に、イオン交換体が充填された第二小脱塩室が形成された、いわゆる二室型の脱塩室構造が挙げられる。
【００６３】
中間イオン交換膜は限定されず、被処理水の水質や、脱イオン水に求める水質に応じて選択することが好ましい。中間イオン交換膜としては、アニオン交換膜もしくはカチオン交換膜の単一膜、または、アニオン交換膜とカチオン交換膜との両方を配置した複合膜のいずれであっても良い。複合膜とは、例えば、モザイク膜やバイポーラ膜等が挙げられる。
【００６４】
小脱塩室へのイオン交換体の充填形態は、被処理水の水質や処理量、脱イオン水に求める水質等を勘案して決定することができる。例えば二室型の脱塩室構造の場合、第一小脱塩室は、カチオン交換体もしくはアニオン交換の単床形態、または、アニオン交換体とカチオン交換体との混床形態、もしくは、複床形態とすることができる。第二小脱塩室へのイオン交換体の充填形態は、カチオン交換体もしくはアニオン交換の単床形態、または、アニオン交換体とカチオン交換体との混床形態、もしくは、複床形態とすることができる。そして、イオン交換体の充填形態は、第一小脱塩室と第二小脱塩室とで同じであってもよいし、異なっていてもよい。例えば、第一小脱塩室をカチオン交換体の単床形態とし、第二小脱塩室をアニオン交換体の単床形態とする組み合わせとしてもよいし、第一小脱塩室をアニオン交換体の単床形態とし、第二小脱塩室をアニオン交換体とカチオン交換体との混床形態とする組み合わせとしてもよい。
【実施例】
【００６５】
以下、本発明について実施例を挙げて具体的に説明するが、実施例に限定されるものではない。
【００６６】
（実施例１）
図１に示すＥＤＩ１００と同様のＥＤＩを下記仕様にて作製して、ＥＤＩ−Ａを得た。得られたＥＤＩ−Ａを用い、下記運転条件にて連続運転を行った。ただし、被処理水は、陰極側の脱塩室と、陽極側の脱塩室とに、それぞれ独立して下降流で流通させた。濃縮水は陽極側小濃縮室を下降流で流通させた後、陰極側小濃縮室を下降流で流通させた。電極水は、陰極室と陽極室とに、それぞれ独立して下降流で流通させ、排出した。
運転開始１０日後に、陰極側の脱塩室を流通した脱イオン水を採取し、カチオン成分濃度としてＮａ濃度を測定した。また、陽極側の脱塩室を流通した脱イオン水を採取し、アニオン成分濃度として炭酸濃度を測定した。これらの測定結果は、濃縮水から脱イオン水への１時間当たりの各イオン成分の移動量（被処理水流量：１Ｌ当たりに含まれる各イオン成分量）として表１に示す。なお、本実施例は、濃縮室から脱塩室に逆拡散するイオン成分量を測定するため、実際のＥＤＩの運転条件における被処理水流量、濃縮水流量とは異なる（実施例２〜４、比較例１〜４において同じ）。
【００６７】
＜ＥＤＩ−Ａ仕様＞
（１）アニオン交換膜：ＡＨＡ（株式会社アストム製）
（２）カチオン交換膜：Ｃ６６−１０Ｆ（株式会社アストム製）
（３）中間膜：Ｃ６６−１０Ｆ（カチオン交換膜、株式会社アストム製）
（４）陰極側の脱塩室：膜面積；１０ｃｍ×１０ｃｍ＝１ｄｍ２、厚さ；８ｍｍ
（５）陽極側の脱塩室：膜面積；１０ｃｍ×１０ｃｍ＝１ｄｍ２、厚さ；８ｍｍ
（６）陰極側の脱塩室のイオン交換体：アンバーライトＩＲＡ４０２ＢＬ（商品名、アニオン交換樹脂、ローム・アンド・ハース社製）の単床形態
（７）陽極側の脱塩室のイオン交換体：アンバーライトＩＲ１２０Ｂ（商品名、カチオン交換樹脂、ローム・アンド・ハース社製）の単床形態
（８）陰極側小濃縮室：厚さ；４ｍｍ
（９）陽極側小濃縮室：厚さ；４ｍｍ
（１０）陰極側小濃縮室のイオン交換体：アンバーライトＩＲＡ４０２ＢＬの単床形態
（１１）陽極側小濃縮室のイオン交換体：アンバーライトＩＲ１２０Ｂの単床形態
（１２）陰極室：厚さ；８ｍｍ
（１３）陽極室：厚さ；８ｍｍ
（１４）陰極室のイオン交換体：アンバーライトＩＲＡ４０２ＢＬの単床形態
（１５）陽極室のイオン交換体：アンバーライトＩＲ１２０Ｂの単床形態
【００６８】
＜運転条件＞
（１）      被処理水：超純水（比抵抗：１８ＭΩ・ｃｍ）
（２）      被処理水流量：１Ｌ／ｈｒ
（３）      濃縮水：３０ｍｇ−ＣａＣＯ３／ＬのＮａＨＣＯ３水溶液
（４）      濃縮水流量：８Ｌ／ｈｒ
（５）      電極水：超純水（比抵抗：１８ＭΩ・ｃｍ）
（６）      陰極室流量：８Ｌ／ｈｒ
（７）      陽極室流量：８Ｌ／ｈｒ
（８）      通電条件：１．０Ａ／ｄｍ２
【００６９】
（実施例２）
濃縮水を３０ｍｇ−ＣａＣＯ３／ＬのＣＯ２水溶液とした以外は、実施例１と同様にしてＥＤＩ−Ａを運転した。運転開始１０日後に、陽極側の脱塩室を流通した脱イオン水を採取し、炭酸濃度を測定した。これらの測定結果は、濃縮水から脱イオン水への１時間当たりの各イオン成分の移動量として表１に示す。
【００７０】
（実施例３）
濃縮水を１ｍｇ−ＣａＣＯ３／ＬのＮａＨＣＯ３水溶液とした以外は、実施例１と同様にしてＥＤＩ−Ａを運転した。運転開始１０日後に、陰極側の脱塩室を流通した脱イオン水を採取し、Ｎａ濃度を測定した。また、陽極側の脱塩室を流通した脱イオン水を採取し、炭酸濃度を測定した。これらの測定結果は、濃縮水から脱イオン水への１時間当たりの各イオン成分の移動量として表１に示す。
【００７１】
（実施例４）
濃縮水を１ｍｇ−ＣａＣＯ３／ＬのＣＯ２水溶液とした以外は、実施例１と同様にしてＥＤＩ−Ａを運転した。運転開始１０日後に、陽極側の脱塩室を流通した脱イオン水を採取し、炭酸濃度を測定した。これらの測定結果は、濃縮水から脱イオン水への１時間当たりの各イオン成分の移動量として表１に示す。
【００７２】
（比較例１）
比較例１に用いた従来型のＥＤＩについて、図３を用いて説明する。ＥＤＩ９００は、陰極９１２と陽極９６２との間に、陰極室９１０と、陰極９１２側の脱塩室９２０と、濃縮室９３０と、陽極９６２側の脱塩室９５０と、陽極室９６０が、陰極９１２側から順に配置されている。脱塩室９２０は、カチオン交換膜９２２と枠体９２１とアニオン交換膜９２４とが、陰極９１２側から順に配置され、枠体９２１の開口部にイオン交換樹脂が充填され形成されている。脱塩室９５０は、カチオン交換膜９２２と枠体９２１とアニオン交換膜９２４とが、陰極９１２側から順に配置され、枠体９２１の開口部にイオン交換樹脂が充填され形成されている。脱塩室９２０、９５０には、被処理水流入ライン９２６と、脱イオン水流出ライン９２８とが接続されている。
【００７３】
濃縮室９３０は、脱塩室９２０を形成するアニオン交換膜９２４と、脱塩室９５０を形成するカチオン交換膜９２２との間に枠体９３１が配置され、枠体９３１の開口部にイオン交換体が充填され形成されている。濃縮室９３０には、濃縮水流入ライン９３６と、濃縮水流出ライン９３８とが接続されている。
【００７４】
陰極室９１０は、脱塩室９２０を形成するカチオン交換膜９２２と、陰極９１２との間に枠体９１１が配置され、枠体９１１の開口部にイオン交換体が充填され形成されている。陰極室９１０には電極水流入ライン９１６と、電極水流出ライン９１８とが接続されている。陽極室９６０は、陽極９６２と、脱塩室９５０を形成するアニオン交換膜９２４との間に枠体９６１が配置され、枠体９６１の開口部にイオン交換体が充填され形成されている。陽極室９６０には、電極水流入ライン９６６と、電極水流出ライン９６８とが接続されている。陰極９１２、陽極９６２は、図示されない電源と接続されている。
【００７５】
ＥＤＩ９００と同様のＥＤＩを下記仕様にて作製し、ＥＤＩ−Ｂを得た。得られたＥＤＩ−Ｂを用い、下記運転条件にて連続運転を行った。被処理水は、陰極側の脱塩室と、陽極側の脱塩室とに、それぞれ独立して下降流で流通させた。濃縮水は濃縮室を下降流で流通させた。電極水は、陰極室と陽極室とに、それぞれ独立して下降流で流通させ、排出した。
運転開始１０日後に、陰極側の脱塩室を流通した脱イオン水を採取し、Ｎａ濃度を測定した。また、陽極側の脱塩室を流通した脱イオン水を採取し、炭酸濃度を測定した。これらの測定結果は、濃縮水から脱イオン水への１時間当たりの各イオン成分の移動量として表１に示す。
【００７６】
＜ＥＤＩ−Ｂ仕様＞
（１）アニオン交換膜：ＡＨＡ（株式会社アストム製）
（２）カチオン交換膜：Ｃ６６−１０Ｆ（株式会社アストム製）
（３）陰極側の脱塩室：膜面積；１０ｃｍ×１０ｃｍ＝１ｄｍ２、厚さ；８ｍｍ
（４）陽極側の脱塩室：膜面積；１０ｃｍ×１０ｃｍ＝１ｄｍ２、厚さ；８ｍｍ
（５）陰極側の脱塩室のイオン交換体：アンバーライトＩＲＡ４０２ＢＬ（商品名、アニオン交換樹脂、ローム・アンド・ハース社製）の単床形態
（６）陽極側の脱塩室のイオン交換体：アンバーライトＩＲ１２０Ｂ（商品名、カチオン交換樹脂、ローム・アンド・ハース社製）の単床形態
（７）濃縮室：厚さ；８ｍｍ
（８）濃縮室のイオン交換体：アンバーライトＩＲＡ４０２ＢＬの単床形態
（９）陰極室：厚さ；８ｍｍ
（１０）陽極室：厚さ；８ｍｍ
（１１）陰極室のイオン交換体：アンバーライトＩＲＡ４０２ＢＬの単床形態
（１２）陽極室のイオン交換体：アンバーライトＩＲ１２０Ｂの単床形態
【００７７】
＜運転条件＞
（１）      被処理水：超純水（比抵抗：１８ＭΩ・ｃｍ）
（２）      被処理水流量：１Ｌ／ｈｒ
（３）      濃縮水：３０ｍｇ−ＣａＣＯ３／ＬのＮａＨＣＯ３水溶液
（４）      濃縮水流量：８Ｌ／ｈｒ
（５）      電極水：超純水（比抵抗：１８ＭΩ・ｃｍ）
（６）      陰極室の電極水流量：８Ｌ／ｈｒ
（７）      陽極室の電極水流量：８Ｌ／ｈｒ
（８）      通電条件：１．０Ａ／ｄｍ２
【００７８】
（比較例２）
濃縮水を３０ｍｇ−ＣａＣＯ３／ＬのＣＯ２水溶液とした以外は、比較例１と同様にしてＥＤＩ−Ｂを運転した。運転開始１０日後に、陽極側の脱塩室を流通した脱イオン水を採取し、炭酸濃度を測定した。これらの測定結果は、濃縮水から脱イオン水への１時間当たりの各イオン成分の移動量として表１に示す。
【００７９】
（比較例３）
濃縮水を１ｍｇ−ＣａＣＯ３／ＬのＮａＨＣＯ３水溶液とした以外は、比較例１と同様にしてＥＤＩ−Ｂを運転した。運転開始１０日後に、陰極側の脱塩室を流通した脱イオン水を採取し、Ｎａ濃度を測定した。また、陽極側の脱塩室を流通した脱イオン水を採取し、炭酸濃度を測定した。これらの測定結果は、濃縮水から脱イオン水への１時間当たりの各イオン成分の移動量として表１に示す。
【００８０】
（比較例４）
濃縮水を１ｍｇ−ＣａＣＯ３／ＬのＣＯ２水溶液とした以外は、比較例１と同様にしてＥＤＩ−Ｂを運転した。運転開始１０日後に、陽極側の脱塩室を流通した脱イオン水を採取し、炭酸濃度を測定した。これらの測定結果は、濃縮水から脱イオン水への１時間当たりの各イオン成分の移動量として表１に示す。
【００８１】
（測定方法）
＜炭酸濃度の測定方法＞
脱イオン水中の炭酸濃度は、ＴＯＣ計（Ａ−１０００、アナテル社製）を用いて脱イオン水中の無機炭素（ＩＣ）を測定した。測定したＩＣ量の全量を炭酸由来として、炭酸量を１Ｌ当たりのＣａＣＯ３相当量として表した。
【００８２】
＜Ｎａ濃度の測定＞
脱イオン水中のＮａ濃度は、原子吸光光度計により測定した。
【００８３】
【表１】
2010022984.tif 000004
【００８４】
表１に示すとおり、濃縮室を中間膜で区画したＥＤＩ−Ａを用いた実施例１〜４では、陽極側の脱塩室を流通した脱イオン水中の炭酸濃度が、いずれも２３０μｇ−ＣａＣＯ３／ｈｒ以下であった。一方、脱塩室が区画されていないＥＤＩ−Ｂを用いた比較例１〜４では、いずれも１４０００μｇ−ＣａＣＯ３／ｈｒを超えていた。なお、陰極側の脱塩室を流通した脱イオン水中のＮａ濃度は、実施例１，３、比較例１，３のいずれにおいても５０μｇ／ｈｒ以下であった。
以上の結果より、濃縮室を中間膜で区画したＥＤＩ−Ａは、濃縮室から脱塩室への炭酸の移動を抑制でき、かつ、濃縮室から脱塩室へのＮａの移動を抑制できることが判った。
【図面の簡単な説明】
【００８５】
【図１】本発明のＥＤＩの濃縮室におけるイオン成分の挙動を説明する模式図である。
【図２】本発明の実施形態にかかるＥＤＩの模式図である。
【図３】比較例に用いたＥＤＩの模式図である。
【符号の説明】
【００８６】
１０、２０、１２０、１５０、９２０、９５０    脱塩室
１２、１２２、９２２    カチオン交換膜
２２、１２４、９２４    アニオン交換膜
３０、１３０、９３０    濃縮室
３２、１３２    陰極側小濃縮室
３４、１３４    陽極側小濃縮室
３６、１３６    中間膜
１００、９００  電気式脱イオン水製造装置
１１２、９１２  陰極
１４４    濃縮水流出ライン
１４６    濃縮水流入ライン
１６２、９６２  陽極
【図１】
2010022984.tif 000005
【図２】
2010022984.tif 000006
【図３】
2010022984.tif 000007